(57)【要約】【課題】  基体の上に保護用シート状物を貼り付けるのに適しそして従来技術の知られた欠点を有していない接着テープの提供。【解決手段】  輸送時保護及び／又は組立時保護の目的のために自動車塗膜のような基体上に大きなシート状物を固定するための両面接着テープにおいて、該両面テープが１０ｇ／ｍ2 より多い塗布量及び少なくとも０．２Ｎ／ｃｍの接着力を有する接着剤Ａよりなる第一の接着剤面Ａと５０℃より高い融点の接着剤Ｂよりなる第二の接着剤面Ｂとよりなり、接着剤Ａ又はＢの少なくとも一方が粘着性であり、かつ、可逆的接着に適することを特徴とする、上記両面接着テープ。【選択図】なし【特許請求の範囲】
【請求項１】
輸送時保護及び／又は組立時保護の目的のために自動車塗膜のような基体上に大きなシート状物を固定するための両面接着テープにおいて、該両面接着テープが１０ｇ／ｍ２より多い塗布量及び少なくとも０．２Ｎ／ｃｍの接着力を有する接着剤Ａよりなる第一の接着剤面Ａと５０℃より高い融点の接着剤Ｂよりなる第二の接着剤面Ｂとよりなり、接着剤Ａ又はＢの少なくとも一方が粘着性であり、かつ、可逆的接着に適することを特徴とする、上記両面接着テープ。
【請求項２】
接着剤Ａが接着剤Ｂと相違する、請求項１の接着テープ。
【請求項３】
接着剤Ａがアクリレート、天然又は合成ゴム、好ましくはブロックコポリマーをベースとするゴム、特にスチレン含有ポリマー又はイソブチルゴム、又はビニル含有ポリマー、特にエチルビニルアセテート、又はそれの誘導体又はそれらのブレンドよりなる群から選択されるポリマーを含有する、請求項１又は２に記載の接着テープ。
【請求項４】
支持体がポリオレフィン又はそれの配合物、ポリエステルをベースとするフィルム支持体又はそれの積層体、好ましくは７〜１００μｍの厚さを持つそれらである請求項１〜３のいずれか一つに記載の接着テープ。
【請求項５】
接着テープが横方向に引き裂くことができるか又はミシン目が入れられている請求項１〜４のいずれか一つに記載の接着テープ。
【請求項６】
接着剤Ａ又はＢの少なくとも一方が溶剤不使用の方法で被覆されている請求項１〜５のいずれか一つに記載の接着テープ。
【請求項７】
接着テープの面積重量が３００ｇ／ｍ２より少なく、好ましくは接着剤Ａの接着剤塗布量が１２〜８０ｇ／ｍ２でありそして接着剤Ｂの接着剤塗布量が１５〜８０ｇ／ｍ２である、請求項１〜６のいずれか一つに記載の接着テープ。
【請求項８】
請求項１〜７のいずれか一つに記載の接着テープを、輸送又は組立の際の保護のために基体上にシート状物を貼り付けるため使用する方法であって、該シート状物が１平方メートルより大きい寸法を有する、上記方法。
【請求項９】
接着テープでのシート状物の貼り付けを、接着剤Ｂがシート状物に面するように行う、請求項８に記載の方法。
【請求項１０】
輸送時保護及び／又は組立時保護の目的のために自動車塗膜のような基体上に大きなシート状物を固定するための両面接着テープにおいて、該両面接着テープがイソブチルゴム又はそれの誘導体又はそれのブレンドを含有する接着剤Ａよりなる第一の接着剤面Ａとアクリル酸及びそれの誘導体、特にそれのエステル及びエーテルの重合で得られるポリマーをベースとする接着剤Ｂよりなる第二の接着剤面Ｂとよりなることを特徴とする、上記両面接着テープ。
【請求項１１】
支持体が織物、特に４０〜３００μｍの厚さを有する織物である、請求項１０に記載の接着テープ。
【請求項１２】
輸送又は組立の際の保護のために基体上にシート状物を貼り付けるために請求項１０又は１１の接着テープを用いる方法において、該シート状物が１平方メートルより大きい寸法を有する、上記方法。
【発明の詳細な説明】
【技術分野】
【０００１】
本発明は保護用シート状物を固定するための両面接着テープに関する。
【背景技術】
【０００２】
表面、特に自動車工業におけるそれはますますしばしば保護されている。特に完成車を保護する関係では、革新的なシステムがますます開発されている。例えばワックス保護、輸送時保護用フィルム及び完全保護用又は部分保護用カバーがある。これらは以下のものに対して保護を提供するものである：
−  機械的損傷（引っ掻き）
−  あらゆる種類の工業ダスト及び汚れ
−  飛翔する錆及び火花
−  油煤及び高架線路（レール）の摩耗ダスト
−  動物分泌物、トリの糞、樹液及び花粉
−  気候及び他の環境的作用。
【０００３】
ワックス保護は環境衛生の観点から不利であり、必ず厳しい法令で規制されている。保護カバーの場合には固定することが困難である。汚れや水の侵入に対して自動車を保護することが重要である。この場合、ある場合には傷つきやすい基体に貼り付けられる接着テープが利用される。これら接着テープへの要求は非常に広範囲に亙っている。
【０００４】
その有利な製品は自ら剥がれたり或いは破けたりせずそして自動車表面及び取り付けた部品に損傷を生じさせないものである。１６０ｋｍ／時のまでの速度で搬送する場合でも耐えることが望まれている。
【０００５】
これらの材料は−４０℃及び＋８０℃で２４時間の後に十分な機械的強度を有していなければならず、更に−２０℃〜＋５０℃の温度に耐えなければならず、自動車から負荷をかけることなく剥離できなければならない。
【０００６】
あらゆる天候条件のもとでこれらは塗膜表面（一成分及び二成分クリヤラッカー）、トリム部品又はシール又はつや出し剤と相互作用を生じてはならない。
【０００７】
ある場合には、特別な自動車のために保護手段の少なくとも一部は少なくとも４０ｇ／ｍ２・日）の水蒸気透過性を有する材料を装備しているべきである。
【０００８】
シーリング及び／又は固定の目的のためには接着テープが有利であるが、それらは縫い合わされているか又は溶着されていなければならない。縫い合わせる場合には縫い目孔が生じ、それを通って汚れや水が保護手段の下に達し得る。縫い目孔の結果として引き裂ける程の安定性が失われる材料も不利である。例えばこれには薄いフィルムをベースとする接着テープを挙げることができる。
【０００９】
更にこの方法には多大な時間がかかり、かつ、装置が必要とされる。位置を決めるときに、失敗する可能性もある。縫い合わせの結果として残る貼り付け面積が減少する。すなわち、この減少は例えば接着材料の３０％までになり得る。
【００１０】
溶着する場合には、非常に特別な材料しか適さない。例えばセルロース又は木綿をベースとする繊維製シート状物、例えばフリース又は織物は溶着しない。同様にシート状物の表面が変形され、そして接着面積がこの加工作業の結果として著しく減少する。溶着場所次第で、つなぎ場所の所に予め決まっている破断場所をもたらし得る。この破断場所はもはや要求に対応できず、不利にも剥がれる。追加的にこの溶着操作は多大な時間を必要としそして作製装置を必要とする。
【発明の開示】
【発明が解決しようとする課題】
【００１１】
本発明の課題は、基体の上に保護用シート状物を貼り付けるのに適しそして従来技術の知られた欠点を有していない接着テープを提供することである。
【課題を解決するための手段】
【００１２】
この課題は請求項１に記載したような両面接着テープによって解決される。一つの別の態様は併合出願された請求項１０の対象である。従属形式の請求項は本発明の対象の有利な実施態様及びそれの用途に関する。
【００１３】
従って本発明は、輸送時保護及び／又は組立時保護の目的のために自動車塗膜のような基体上に大きなシート状物を固定するための両面接着テープにおいて、該両面接着テープが１０ｇ／ｍ２より多い塗布量及び少なくとも０．２Ｎ／ｃｍの接着力を有する接着剤Ａよりなる第一の接着剤面Ａと５０℃より高い融点の接着剤Ｂよりなる第二の接着剤面Ｂとよりなり、接着剤Ａ又はＢの少なくとも一方が粘着性であり、かつ、可逆的接着に適することを特徴とする、上記両面接着テープに関する。
【００１４】
更に本発明は、輸送時保護及び／又は組立時保護の目的のために自動車塗膜のような基体上に大きなシート状物を固定するための両面接着テープにおいて、該両面接着テープがイソブチルゴム又はそれの誘導体又はそれのブレンドを含有する接着剤Ａよりなる第一の接着剤面Ａとアクリル酸及びそれの誘導体、特にそれのエステル及びエーテルの重合で得られるポリマーをベースとする接着剤Ｂよりなる第二の接着剤面Ｂよりなることを特徴とする、上記両面接着テープに関する。
【００１５】
接着剤Ｂを有する接着テープの面が大きなシート状物を使用する際に使用されそしてそれを固定するのに役立つ。
【００１６】
一般に本発明の対象物は二つの接着層を有する接着テープよりなる。有利な一つの実施態様においては、この接着テープは支持体材料によって支持されている。支持体は天然又は合成材料又はそれらの組合せ又は混合物をベースとする織製物、編製物、スクリム、フリース、フィルム、紙及びそれらの複合体及び組合せ製品であってもよい。
【００１７】
従って、ポリプロピレン、ポリエステル、ポリアミド、ポリウレタン又はポリエチレン単独又はガラス繊維又は炭素繊維のような鉱物繊維との組合せよりなるポリマーフィルム、フリース又は織製物又はセルロース又は木綿繊維を有する織製物、スクリム又は編製物、更に金属起源の織製物、スクリム又は編製物が有利に使用される。特別な用途のためには混紡製品、例えば混紡繊維フィラメント、糸又は撚り糸も使用することができる。これらは、支持体材料を光学的又は機械的な特徴及び性質を付与するために部分的に着色されていても又は他の方法で仕上げ処理されていてもよい。
【００１８】
別の実施態様においては、繊維は天然起源のもの、例えば木綿、絹、亜麻又はビスコースステープルも使用することができる。
【００１９】
本発明の対象の他の実施態様の場合には、フリースを、表面をマスキングするための支持体材料として使用する。この場合には、フリースの繊維よりなる網目によって形成されるステッチの形成によって強化される。その際にフリース上のステッチの数は少なくとも３個／ｃｍ、特に５〜５０個／ｃｍであるのが有利である。
【００２０】
本発明の対象の最大抗張力は少なくとも１０Ｎ／ｃｍ、殊に１５〜４５０Ｎ／ｃｍ、特に２０〜２５０Ｎ／ｃｍである。この場合、該抗張力は本発明の対象の幅をベースとする。
【００２１】
接着テープの伸び率は一般に１５００％より少ない。フィルムをベースとする支持体材料の場合には、１０〜１０００％、殊に１５〜８００％、特に１５〜５００％であり。フリースをベースとする支持体材料の場合には１０〜４００％、殊に１５〜３００％、特に１５〜２５０％である。織製物は５〜５０％、殊に５〜２５％の伸張性を有している。
【００２２】
別の一つの有利な実施態様においては本発明の対象は配向方向に対して垂直に及び／又はステッチの方向に手で引き裂くことができる。この手での引裂は、本発明の製品自体を巻いてロール状とする場合にしばしば使用される。
【００２３】
他の一つの実施態様においては、この引裂性は必要ない。この場合、大きなシート状物に接合するための打抜き製品が適する。
【００２４】
接着テープは紫外線を吸収する物質を含有しているのが有利である。
【００２５】
接着面は分類するためにＡ及びＢで記載する。
【００２６】
接着剤の粘着性被覆は直接塗布によっても及び転写塗布によっても可能である。転写塗布の場合には、離型紙、離型フィルム、ロール又はベルトのような補助支持体に最初に塗布しそして次いで本来の支持体を転写塗布する。更に接着剤を該支持体に部分的に転写することも可能である。例えばパターン印刷、スクリーン印刷、熱フレキソ印刷又はグラビア印刷によって部分的に転写することが可能である。しかしながら全面塗布も可能である。スピニング又は噴霧塗布も製品に特別な性質を付与し得る。
【００２７】
本発明の対象は接着剤ライナーで片面又は両面にラインを引いてもよい。
【００２８】
更に別の加工段階、例えば積層、打抜き、印刷、中和、活性化、架橋、スリッチング、パンチング、エンボス加工及び従来技術に見られる他の技術もある。
【００２９】
被覆するために、高い接着力を有する粘着剤が特に有利である。接着剤としては天然及び合成ゴム及び他の合成ポリマー、例えばアクリレート、メタクリレート、ポリウレタン、ポリオレフィン、ポリビニル誘導体、ポリエステル又はシリコーンをベースとし、適当な添加物、例えば可塑剤、安定剤及び他の助剤、例えば必要な場合には充填剤を含有する粘着剤を使用するのが有利である。
【００３０】
特に熱可塑性ホットメルト接着剤も有利な性質を有しており、製造技術的理由から有利である。
【００３１】
ブロックコポリマーをベースとする特に有利なホットメルト接着剤は、その多面的な変更可能性のために注目に値する。すなわち、粘着性付与剤、可塑剤及びポリマー分子の大きさ及び使用成分の分子量分布の選択によって粘着剤のガラス転位温度を意図的に下げることによって、基体への機能的に有利な接合が人間の運動器官の臨界点でも保証される。
【００３２】
ホットメルト接着剤の高い剪断強度はポリマーの高い凝集性によって達成される。この効果的な粘着性は使用される粘着剤及び可塑剤による産物である。
【００３３】
特に強い接着性の系にとって、ホットメルト接着剤は好ましくはブロックコポリマー、特に有利にはＡ−Ｂ−、Ａ−Ｂ−Ａ−ブロックコポリマー又はそれらの混合物をベースとしている。硬質相Ａは第一にポリスチレン又はそれの誘導体であり、軟質相Ｂはエチレン、プロピレン、ブチレン、ブタジエン、イソプレン、イソブチレン又はそれらの混合物を含有しており、この場合特に有利なのはイソプレン又はそれのブレンドである。
【００３４】
有利な一つの実施態様において、はホットメルト接着剤は以下に記載の組成を有している：
１０〜９０重量％のブロックコポリマー；
５〜８０重量％の粘着性付与剤、例えば油、ワックス、樹脂及び／又はそれらのブレンド、特に樹脂と油類との混合物；
６０重量％より少ない可塑剤；
１５重量％より少ない添加物
５重量％より少ない安定剤。
【００３５】
粘着性付与剤として役立つ脂肪族又は芳香族油類、ワックス及び樹脂は炭化水素油類、炭化水素ワックス及び炭化水素樹脂であり、この場合油類、例えばパラフィン炭化水素油、又はワックス、例えばパラフィン炭化水素ワックスであり、それらのコンシステンシーによって膜への接合に有利に作用する。可塑剤としては中鎖又は長鎖の脂肪酸及び／又はそのエステルが使用される。これらの添加物は接着性及び安定性を調整するのに役立つ。場合によっては他の安定剤及び別の助剤を使用してもよい。
【００３６】
本発明の接着テープはスチールに対して少なくとも０．５Ｎ／ｃｍ（被覆幅）の接着力、殊に１．０Ｎ／ｃｍ〜２５Ｎ／ｃｍ、特に１．５〜２２Ｎ／ｃｍの接着力を有している。他の基体へは別の接着力を達成することができる。接着剤Ｂの融点は５０℃より高く、殊に６０℃〜３００℃の間、特に７０〜１５０℃である。
【００３７】
接着面Ｂの塗布量は好ましくは１２ｇ／ｍ２より多いのが有利である。有利な実施態様においては１５〜１２０ｇ／ｍ２、特に有利には１７〜８０ｇ／ｍ２である。
【００３８】
本発明の接着剤は接着面Ａにスチールに対して少なくとも０．２Ｎ／ｃｍ（塗布幅）の接着力、殊に０．５Ｎ／ｃｍ〜１０Ｎ／ｃｍ、特に０．５〜７Ｎ／ｃｍの接着力を有している。同様に他の基体へは別の接着力を達成することができる。接着剤Ａの塗布量は好ましくは１０ｇ／ｍ２より多いのが有利である。有利な実施態様においては１２〜１２０ｇ／ｍ２、特に有利には１７〜８０ｇ／ｍ２である。
【００３９】
接着剤は更に有利には反応性でもよい。
【００４０】
更に本発明の対象物が５００ｇ／ｍ２より少ない面積重量を有するのが有利であることが分かっている。平面接合のためには、好ましくは２０〜４００ｇ／ｍ２、特に好ましくは３０〜３００ｇ／ｍ２使用するのが有利である。
【００４１】
本発明の接着テープは輸送及び／又は組立の際の保護の目的のために基体上に大きなシート状物を固定するのに特に有利に使用でき、その際に該シート状物は１平方メートルより大きい寸法を有している。
【００４２】
シート状物としては中でも、三次元形状を有していてもよい完全保護カバー及び部分保護カバーを意味する。基体面積は１平方メートルより大きく、好ましくは２平方メートルより大きく、特に好ましくは１２平方メートルまでである。
【００４３】
有利には、保護すべき対象物、特に自動車形状に近い三次元形状であってもよい。
【００４４】
特に有利な一つの実施態様においては、最初に大きいシート状物に接着面Ｂを固定しそして後の時点で接着面Ａを保護すべき基体に貼り付ける。これはシーリングの目的及び／又は固定の目的のために行い、その際実施形態は異なる。
【００４５】
シート状物に貼り付ける接着剤は好ましくは、破ることなくもはや除くことができない永久接合を生じさせる。保護すべき対象物に面する接着剤は接合すべき基体から残りなく剥離できるのが更に有利である。